(57)【特許請求の範囲】
【請求項１】
一方の面に粘着面を有する粘着テープをその粘着面が表側に向けて露出するように多重に巻回してなるロール体に対して、上記ロール体の軸線方向に沿う切断用のミシン目を形成するにあたって、上記ロール体の半径方向に沿って刺入される同一形状である複数の刺入部が所定の間隔を持って形成されているミシン目刃を用いて、上記粘着テープを貫通する切れ目と隣接する上記切れ目の間に残される未切断部とを有する切断用のミシン目を上記ロール体の最外層から巻芯側の内層にかけて同一半径線上に形成するミシン目入り粘着テープロールの製造方法において、
上記ミシン目刃の各刺入部の形状を、上記刺入部の先端の幅をＷ１，根元の幅をＷ２として、その幅比がＷ１：Ｗ２＝１：１．２〜１．５の範囲内で先端側から根元側にかけて徐々に幅広になるテーパー形状で、かつ、上記各刺入部の周縁を両刃として、上記各刺入部を上記ロール体の最外層から巻き芯側の内層に向けて半径方向に同時に打ち込むことにより、上記ロール体に上記切れ目を形成することを特徴とするミシン目入り粘着テープロールの製造方法。
【請求項２】
上記請求項１により製造されたミシン目入り粘着テープロール。
【発明の詳細な説明】
【技術分野】
【０００１】
本発明は、粘着テープロールに切断用のミシン目を形成する技術に関し、さらに詳しく言えば、使用感を損ねることなく、かつ、手切れ性のよいミシン目を形成する技術に関する。
【背景技術】
【０００２】
カーペット、フローリングもしくは洋服などのホコリや毛くずを除去する掃除用具として粘着テープクリーナがある。図６に示されているように、この種の粘着テープクリーナは、一方の面に粘着層３を形成したテープ２をその粘着層３を外側としてロール芯Ｒに巻回してなる粘着テープロール１を備えている。
【０００３】
粘着テープロール１には、ロール芯Ｒの軸線方向に沿って切断部４がその最外層からロール芯Ｒに至る深さに形成されている。通常、切断部４はカッターにて切り込まれた筋状の切れ目よりなるが、粘着テープロール１の端部にのみ切れ目を入れたものや、粘着テープロール１の全幅にわたって切れ目をミシン目状に入れたものなどがある。
【０００４】
大抵の場合、この粘着テープロール１は図示しない支持具に取り付けて使用され、粘着テープロール１を例えばカーペット上に転がすことで、その粘着層３の粘着力により、カーペット面からホコリや毛くずなどを除去する。
【０００５】
そして、ゴミの付着量が多くなり粘着力が落ちてきた場合には、最外層のテープを巻き戻すようにして剥がし、その１巻き分を切断部４から切り離して新たな粘着層３を露出させる。この種の従来例としては例えば特許文献１がある。
【先行技術文献】
【特許文献】
【０００６】
【特許文献１】実開昭６１−１６７１６９号公報
【発明の概要】
【発明が解決しようとする課題】
【０００７】
しかしながら、従来の切断部、特にミシン目を使用したものには、次のような問題があった。すなわち、通常、ミシン目状の切れ目はテープを巻き取った後の粘着テープロールに対して、多数の刺入刃を有するカッターＣをその半径方向にロール芯Ｒに至るまで打ち込むことにより形成される。
【０００８】
このため、カッターＣの厚みにより各層のテープの切れ目が強制的に押し開かれるとともに、カッターＣを引き抜く際に粘着材の粘着力によりそれに連れて外側に引っ張り出されるようになるため、切断部４の周辺が凸状に隆起するいわゆる玉葱現象が発生することがある。
【０００９】
したがって、その凸部によりスムーズな回転が得られず、ユーザーに使用上の違和感を与えるばかりでなく、外観も良くなく商品価値が損なわれてしまうことにもなりかねない。
【００１０】
また、巻取り直後の粘着テープロール１には、巻取り時にかけられたテンションが歪応力として残されている部分があり、それが元に戻ろうとするときの反作用により、切断部が傷口のように開いてしまうおそれもある。とりわけ、この作用は巻芯Ｒ側に行くにつれて強くなり、場合によっては、使用する前に切断部４から半分に割れてしまう場合もある。
【００１１】
そこで、本発明は、上述した問題を解決するためになされたものであって、その目的は、使用中における使用感を損なうことなく、また、使用後の粘着テープを簡単に切り離すことができる切れ目入り粘着テープロールの製造方法を提供することにある。
【課題を解決するための手段】
【００１２】
上記目的を達成するため、本発明は、一方の面に粘着面を有する粘着テープをその粘着面が表側に向けて露出するように多重に巻回してなるロール体に対して、上記ロール体の軸線方向に沿う切断用のミシン目を形成するにあたって、上記ロール体の半径方向に沿って刺入される同一形状である複数の刺入部が所定の間隔を持って形成されているミシン目刃を用いて、上記粘着テープを貫通する切れ目と隣接する上記切れ目の間に残される未切断部とを有する切断用のミシン目を上記ロール体の最外層から巻芯側の内層にかけて同一半径線上に形成するミシン目入り粘着テープロールの製造方法において、
上記ミシン目刃の各刺入部の形状を、上記刺入部の先端の幅をＷ１，根元の幅をＷ２として、その幅比がＷ１：Ｗ２＝１：１．２〜１．５の範囲内で先端側から根元側にかけて徐々に幅広になる形状で、かつ、上記各刺入部の周縁を両刃として、上記各刺入部を上記ロール体の最外層から巻き芯側の内層に向けて半径方向に同時に打ち込むことにより、上記ロール体に上記切れ目を形成することを特徴としている。
【００１３】
本発明において、具体的な寸法を提示すれば、上記各刺入部の先端の幅Ｗ１が、Ｗ１＝２．０〜２．５ｍｍであることが好ましい。
【００１４】
本発明には、上記の製造方法により製造されたミシン目入り粘着テープロールも含まれる。
【発明の効果】
【００１５】
本発明によれば、上記刺入部の先端の幅をＷ１，根元の幅をＷ２として、その幅比がＷ１：Ｗ２＝１：１．２〜１．５の範囲内で先端側から根元側にかけて徐々に幅広になる形状に形成して刺入部にテーパーを設けたことにより、ミシン目刃を粘着テープロールに刺入しやすくすることができる。
【００１６】
また、これにより、巻芯側の粘着テープにかかる切断応力を小さくでき、ロール芯Ｒ側でのテープ割れを効果的に防止できるとともに、ミシン目刃を粘着テープに刺入し、抜去した際に、粘着テープロールのミシン目周辺が隆起して凸部（玉葱現象）を形成することもない。
【図面の簡単な説明】
【００１７】
【図１】本発明の一実施形態に係るミシン目入り粘着テープロールの斜視図および部分拡大図。
【図２】本発明の一実施形態に係るミシン目刃の正面図および部分拡大図。
【図３】上記ミシン目刃の刺入部のＡ−Ａ線断面およびＢ−Ｂ線断面図。
【図４】ロール体の測定方法を説明する説明図。
【図５】ロール体の測定結果をグラフ化した図面。
【図６】従来のミシン目入り粘着テープロールの斜視図。
【発明を実施するための形態】
【００１８】
次に、本発明の実施形態について図面を参照しながら説明する。図１には本発明の一実施形態に係るミシン目入り粘着テープロールの斜視図である。
【００１９】
このミシン目入り粘着テープロール１０（以下、単にロール体１０と称する）は、先に説明した従来例と同じく、一方の面に粘着面３を有する粘着テープ２をその粘着面３が表側（外側）を向くようにしてロール芯Ｒに巻回することにより得られるが、この実施形態において、ロール体１０は、その両端に粘着面３がない非粘着面５，５が所定幅をもって形成された、いわゆるドライエッジ構造を備えている。
【００２０】
なお、非粘着面５は、いずれか一方の端部にだけ設けられていてもよく、極端に言えば、両端のいずれにも非粘着面５がなくてもよい。すなわち、本発明において、非粘着面５，５は任意的な構成要素である。さらに、粘着面３はべた塗り、スジ塗りなど用途に応じて任意に構築可能である。
【００２１】
粘着テープ２には、ロール芯Ｒの軸線方向に沿ってほぼ平行な切断部４が設けられている。切断部４は、粘着面３の上に形成されたミシン目４１と、一方のミシン目４１の端部（図１では右奥側）から非粘着面５を経てロール体１０の端縁に抜ける連続切れ目４３とを備えている。
【００２２】
連続切れ目４３は、使用後に最外層の粘着テープ２を切断部４に沿って切り離す際の「きっかけ」となる部分であり、この実施形態では、連続した切れ目からなるが、例えば三角形状の切り欠きであってもよい。
【００２３】
ミシン目４１は、図１の拡大図に示すように、所定間隔をもって粘着テープ２を貫通する多数の切れ目４１ａ，４１ｂ，４１ｃ，４１ｄ・・・と、隣接する切れ目４１ａと４１ｂ（４１ｂと４１ｃ，４１ｃと４１ｄ）の間に残された未切断部４２ａ，４２ｂ，４２ｃ，・・・とを備えている。
【００２４】
切れ目４１と未切断部４２とは、各切れ目４１の長さをＸ１、未切断部４２の長さをＸ２とした場合、比率にして、Ｘ１：Ｘ２＝１：１〜２．０を満足するように形成されている。
【００２５】
これによれば、ミシン目４の切れ目間隔がほぼ等間隔であるため、使用後に片手などで簡単に最外層の粘着テープを切り離すことができる。この実施形態において、切れ目４１と未切断部４２は、平均してＸ１＝１．５ｍｍ、Ｘ２＝２．５ｍｍ（Ｘ１：Ｘ２＝１：１．６）とされている。
【００２６】
ここで、切れ目４１の長さは、Ｘ１＝１．０〜２．０ｍｍの範囲内であることが好ましい。なお、Ｘ１：Ｘ２＝１：１未満とした場合、切断部４１に比べ未切断部４２の方が短くなり、ロール芯Ｒ側に向かうにつれ切れ目４１が連結してスリット状になり、巻き直しによる復元応力によって、粘着テープ２が未使用のまま分割してしまうおそれがある。また、Ｘ１：Ｘ２＝１：２．０よりも大きい場合、切れ目４１を形成する際のミシン目刃６（図２参照）の接触面積が多くなるため、上述した玉葱現象を起こしやすくなる。
【００２７】
このミシン目４１は、マザーロールから粘着面３が表側に向くようにロール芯Ｒに巻き直されたロール体１０に専用のミシン目刃を刺入機（図示しない）を使って刺入することによって形成される。そこで、次に、図２を参照して、本発明のミシン目刃６を説明する。
【００２８】
図２に示すように、このミシン目刃６は、矩形状の金属板からなり、所定間隔をもって櫛刃状に多数設けられた刺入部６１ａ，６１ｂ，６１ｃ，・・・，６１ｎと、各刺入部６１間に形成される間隙部６２ａ，６２ｂ，６２ｃ，・・・，６２ｎとを備えている。
【００２９】
この例において、刺入部６１の終端側（図２では、刺入部６１ｎの右隣）には、上述した連続切れ目４３をロール体１０の端部（非粘着面５）に形成するための切断刃６３が各刺入部６１と同一直線上に設けられている。
【００３０】
各刺入部６１は、図２の拡大図に示されているように、先端側（図２では下側）から根元側（図２では上側）にかけて徐々に幅広になるように形成されており、具体的には、刺入部６１の先端の幅をＷ１、刺入部６１の根元の幅をＷ２とした場合、比率にして、Ｗ１：Ｗ２＝１：１．２〜１．５を満足するように形成されている。
【００３１】
これによれば、刺入部にテーパーが設けられているため、粘着テープロールに刺入しやすくなるばかりでなく、巻芯側の粘着テープにかかる切断応力を小さくでき、ロール芯Ｒ側でのテープ割れを効果的に防止できる。
【００３２】
なお、Ｗ１：Ｗ２＝１：１．２未満の場合、刺入部６１のテーパ角が小さくなり、刺入部６１をロール体１０に刺入した際にロール芯Ｒ側（内側）の粘着テープ２に加わる力が大きくなりすぎて、ミシン目４が連結してしまうおそれがある。また、Ｗ１：Ｗ２＝１：１．５よりも大きい場合、テーパ角が大きくなりすぎ、表層側とロール芯Ｒ側とでミシン目４の長さや間隔が変化してしまうおそれがある。
【００３３】
図３（ａ）（図２のＡ−Ａ線断面）および図３（ｂ）（図２のＢ−Ｂ線断面）に示すように、ミシン目刃６の板幅Ｔは、この例において０．４５ｍｍである。各刺入部６１の周縁は、外側に向かって徐々に板幅が減少する両刃となっている。これによれば、刺入部６１を刺入した際に、粘着テープ２にかかる剪断力を刺入部６１に集中させることができ、ロール芯Ｒ側の粘着テープ２にもミシン目４を確実に形成することができる。
【実施例】
【００３４】
次に、本発明の具体的な実施例と、その比較例について説明する。まず、下記の方法によってロール体１０を作製した。
【００３５】
（ロール体の作製）
紙製の基材（幅：１６０ｍｍ）の一方の面に合成ゴム系粘着剤をべた塗りした粘着面を形成し、他方の面にシリコンなどの剥離処理を施した粘着テープを用意し、専用の巻回装置を用いてロール芯（径：３８ｍｍ、長さ１５９ｍｍ）に対して粘着面が表側を向くように９０周巻き付けてロール体を作製した。
（ミシン目の作製）
作製されたロール体を専用のミシン目形成装置に設置して、実施例１および比較例１に示す条件に基づき作製されたミシン目刃を使ってロール体にミシン目を形成した。しかる後、上記方法にて作製したロール体を以下の方法で評価した。
【００３６】
（巻き径変化量および使用感の評価）
図４に示すように、実施例１、比較例１の各試験体のミシン目４を含む直径Ａと、ミシン目４に対して直交する方向の直径Ｂを、それぞれ巻き付け直後、巻き付け１週間経過後、巻き付け３０日経過後に測定し、その外径公差（Ａ−Ｂ）を求めてロール体１０の切れ目４付近の隆起度を測定した。測定位置は、ロール体１０の軸方向中央で測定した。
次に、そのロール体１０を清掃用治具に取り付けて、被験者５名が代わる代わる床面上を転動させて、その使用感を評価した。評価方法は、○：ゴトゴト感がない，△：ゴトゴト感があるが使用に問題なし，×：ゴトゴト感が激しく使用したくない，とした。その評価結果は以下のとおり。
【００３７】
《実施例１》
〔ミシン目刃仕様〕
〔刺入部〕        先端幅Ｗ１＝２．０ｍｍ
根元幅Ｗ２＝２．５ｍｍ
〔刺入部比率〕    Ｗ１：Ｗ２＝１：１．２５
〔巻き径〕
（巻き付け直後）    直径Ａ＝５３．９９ｍｍ    直径Ｂ＝５３．７８ｍｍ
Ａ−Ｂ＝０．２１ｍｍ
（巻き付け７日後）  直径Ａ＝５４．２４ｍｍ    直径Ｂ＝５３．８５ｍｍ
Ａ−Ｂ＝０．３９ｍｍ
（巻き付け３０日後）直径Ａ＝５４．２７ｍｍ    直径Ｂ＝５３．９２ｍｍ
Ａ−Ｂ＝０．３５ｍｍ
〔評価結果〕
（巻き付け直後）      ○
（巻き付け７日後）    ○
（巻き付け３０日後）  ○
（総合評価）          ○
【００３８】
〈比較例１〉
〔ミシン目刃仕様〕
〔刺入部〕        先端幅Ｗ１＝２．０ｍｍ
根元幅Ｗ２＝２．０ｍｍ
〔刺入部比率〕    Ｗ１：Ｗ２＝１：１
〔巻き径〕
（巻き付け直後）    直径Ａ＝５４．７２ｍｍ    直径Ｂ＝５３．９８ｍｍ
Ａ−Ｂ＝０．７４ｍｍ
（巻き付け７日後）  直径Ａ＝５４．８７ｍｍ    直径Ｂ＝５３．９１ｍｍ
Ａ−Ｂ＝０．９６ｍｍ
（巻き付け３０日後）直径Ａ＝５４．６６ｍｍ    直径Ｂ＝５３．８２ｍｍ
Ａ−Ｂ＝０．８４ｍｍ
〔評価結果〕
（巻き付け直後）      △
（巻き付け７日後）    ×
（巻き付け３０日後）  ×
（総合評価）          △〜×
【００３９】
図５に、巻き径の測定結果をグラフ化したものを示す。これにより、次のような知見を得た。
（１）実施例１、比較例１にかかわらずロール体を巻回して１週間経過後にロール径のピークが表れる。
（２）実施例１は、巻き付け直後、７日目、３０日目のいずれも外径公差が±０．５ｍｍ未満であるため、ガタガタ感がほとんどなく、使用感が良好である。
（３）比較例１は、巻き付け直後、７日目、３０日目のいずれも外径公差が±０．５ｍｍよりも大きくなり、ガタガタ感があり、使用には不適切である。
（４）比較例１は、７日目に外径公差がピークを迎え、ほぼ±１．０ｍｍとなり、使用に耐え得ないガタガタ感が顕著に表れる。
【００４０】
このように、ミシン目を形成するに当たって用いられるミシン目刃の刺入部の先端の幅をＷ１、刺入部の根元の幅をＷ２とした場合、刺入部は、比率にして、Ｗ１：Ｗ２＝１：１．２〜１．５を満足するように形成されていることにより、ミシン目刃を粘着テープロールに刺入し、抜去した際に、粘着テープロールのミシン目周辺が隆起して凸部（玉葱現象）を形成することがない。
【符号の説明】
【００４１】
１０  ミシン目入り粘着テープロール（ロール体）
２  粘着テープ
３  粘着面
４  ミシン目
４１  切れ目
４２  未切断部
５  非粘着面
６  ミシン目刃
６１  刺入部
６２  間隙
Ｒ  ロール芯
【図１】
0004815507.tif 000002
【図２】
0004815507.tif 000003
【図３】
0004815507.tif 000004
【図４】
0004815507.tif 000005
【図５】
0004815507.tif 000006
【図６】
0004815507.tif 000007